(57)【要約】  本発明は、構造体（２）の振動を減衰させるためのバラストウエイトを製造するための方法に関し、バラストウエイト（８）はバラストケーブル（１２）の少なくとも一部を含むバラストコンポーネントから形成される。本方法は、バラストケーブルを移送デバイス（１４）に接続することと、移送デバイスを用いて、バラストケーブルの連続部分（１２Ｐ）を低点（Ｂ）から高点（Ｈ）まで移動させることと、高点まで移送されたバラストケーブルの連続部分（１２Ｐ）の少なくとも一部からバラストウエイト（８）を形成することとを具備する。
2019528388.tif 000002
【特許請求の範囲】
【請求項１】
構造体（２）の振動を減衰させるためのバラストウエイトを製造するための方法であって、前記バラストウエイト（８）は、バラストケーブル（１２）の少なくとも一部を含むバラストコンポーネントから形成され、前記方法は、
前記バラストケーブルを移送デバイス（１４）へと接続することと、
前記移送デバイスを用いて、前記バラストケーブルの連続部分（１２Ｐ）を低点（Ｂ）から高点（Ｈ）まで移動させることと、
前記高点まで移送された前記バラストケーブルの前記連続部分（１２Ｐ）の少なくとも一部から前記バラストウエイト（８）を形成することと
を具備する方法。
【請求項２】
前記バラストケーブルから、互いに別体のバラストセグメント（１２Ｔ）を形成するように、前記高点まで移送された少なくとも一つの部分（１２Ｐ）において前記バラストケーブル（１８）を分割することをさらに含む、請求項１に記載の方法。
【請求項３】
前記バラストウエイトは、前記バラストケーブル（１２Ｐ）の一部分から得られるバラストセグメント（１２Ｔ）から形成される、請求項２に記載の方法。
【請求項４】
前記バラストセグメントはハウジング内に配置され、このハウジングから前記バラストウエイトが形成される、請求項２または請求項３に記載の方法。
【請求項５】
前記連続部分の少なくとも一部に関して、前記連続部分から新たに形成された各バラストセグメントがコンテナ（３２）内に配置される、請求項２ないし請求項４のいずれか１項に記載の方法。
【請求項６】
前記コンテナは少なくとも一つの軸線に沿って移動可能であり、かつ、内側に、受け入れ開口を有する受け入れキャビティを画定し、前記連続部分の少なくとも一部に関して、
前記高点まで移送された各部分（１２Ｐ）は、前記コンテナ内に配置されるバラストセグメント（１２Ｔ）を形成するために前記ケーブルの残部から分割される前に、前記移送デバイス（１４）によって前記コンテナの開口の前記受け入れ開口を経て引き込まれ、
前記コンテナは、所定数のバラストセグメントが前記コンテナ内に収容されるまで常時移動させられる、請求項５に記載の方法。
【請求項７】
前記コンテナが窓（３６）を有し、前記方法は、セグメントの束を形成するために前記窓を経て引き込まれるストラップ（３８）によって、前記コンテナ内に受け入れられた前記バラストセグメントを互いに締め付けることをさらに含む、請求項６に記載の方法。
【請求項８】
前記連続部分の少なくとも一部に関して、
前記連続部分の先頭部分は、いったんそれが前記高点まで移送されると巻き取りデバイス（４０）に接続され、
前記高点まで運ばれた前記連続部分から少なくとも一つのリール（４２）を、前記巻き取りデバイス（４０）を介して形成するために、新しい部分が前記高点に到達する間、前記巻き取りデバイスが作動させられる、請求項１ないし請求項７のいずれか１項に記載の方法。
【請求項９】
前記巻き取りデバイス（４０）は、前記バラストケーブルの一部分を案内しかつ前記バラストケーブルの張力を制御するように構成されたガイドローラー（４６）と、その上に前記バラストケーブルの一部分が巻き付けられる巻き取り機械（４４）と、を具備する、請求項８に記載の方法。
【請求項１０】
前記バラストケーブルは、最初に、前記低点の近傍に配置される第１のケーブル部分（１２１）を含み、前記方法は、
前記低点の近傍で第２のケーブル部分（１２２）を得ることと、
前記第１のケーブル部分（１２１）の端部を前記第２のケーブル部分（１２２）の端部に接合することと
をさらに含む、請求項１ないし請求項９のいずれか１項に記載の方法。
【請求項１１】
前記ケーブルは、前記低点（Ｂ）と前記高点（Ｈ）との間の経路の少なくとも一部にわたって延在するダクト（２４）内で、前記移送デバイスによって移動させられる、請求項１ないし請求項１０のいずれか１項に記載の方法。
【請求項１２】
前記バラストウエイトを形成することは、前記バラストウエイト内の容積であって、その中に前記連続部分が配置される容積の少なくとも一部をバラスト物質で満たすことを含む、請求項１ないし請求項１１のいずれか１項に記載の方法。
【請求項１３】
構造体（２）の振動を減衰させるためのバラストウエイトを製造するためのアセンブリ（４）であって、前記バラストウエイト（８）は、バラストケーブル（１２）の少なくとも一部を含むバラストコンポーネントから形成され、前記アセンブリは、前記構造体（２）に対して固定され、かつ、前記バラストケーブル（１２）に接続されると共に前記バラストケーブルの連続部分を前記構造体の低点（Ｂ）から前記構造体の高点へと移動させるよう構成された移送デバイス（１４）を備える、アセンブリ（４）。
【請求項１４】
前記移送デバイスは、前記高点（Ｈ）の近傍に配置されると共に前記バラストケーブルの連続部分を前記高点へと移送するために前記バラストケーブル（１２）を引っ張るよう構成された引っ張り装置（２０）を備える、請求項１３に記載のアセンブリ。
【請求項１５】
互いに別体のバラストセグメント（１２Ｔ）を、前記バラストケーブルから形成するために前記高点まで移送された少なくとも一部分において前記バラストケーブル（１２）を分割するよう構成された分割デバイス（１８）をさらに備える、請求項１３または請求項１４に記載のアセンブリ。
【発明の詳細な説明】
【技術分野】
【０００１】
本発明は、高所におけるバラストウエイトの製造に関する。
【背景技術】
【０００２】
今日では、建築記録を保持する建物の高さは１０００ｍに近いか、それを超えている。そのようなタワーの建設は必ずしも経済的特権には従わず、むしろ、特定の建築者が自身の大胆さと技能を示すため自身に課す技術的挑戦を引き受けるという任務に従う。実際、そうしたタワーは、現在の技術および材料を使用して解決することが非常に困難である技術的問題を引き起こす。
【０００３】
上記問題の第一のものは風の抵抗に関連する。重さおよび接地圧は、高性能の材料および多かれ少なかれ大きな断面を用いて十分に簡単に解決することができる。
【０００４】
しかしながら、タワーが風の中で揺れたり不安定になったりするという事実は、克服するのがはるかに困難である。
【０００５】
タワー用に最適化された形態を規定するために、風洞内で行われる試験が一般的に利用されるが、タワーの幾何学的形状を最適化するにもかかわらず、それらの揺れは依然として重大な障害である。
【０００６】
これらの問題を解決するために、揺れの振幅を抑止または制限することを目的とした減衰システムがしばしば使用される。
【０００７】
そのようなシステムは、建物の一次構造体に導入されたエネルギーの大部分を吸収し、その構造体の動的挙動に影響を及ぼす。
【０００８】
これに関して多くの種類の減衰システムが存在する。それらは、たいてい、建物の最上部近くに配置されかつダンパーによって構造体に接続されることによって制動される振動バラストウエイトから形成される。
【０００９】
バラストウエイトは、例えば、スライディングシステムまたはローリングシステムに取り付けられるか、または一つ以上のハンガーによって単純に吊り下げられる。
【００１０】
上記装置の共通点は、大きなバラストウエイトを配置する必要性である。
【００１１】
例えば、高さ１０００ｍのタワーの場合、上記タイプの減衰装置内で必要なバラストは１０００トン近くの重量を有することがある。
【００１２】
そうしたウエイトを非常に高い位置まで持ち上げる場合、材料の移送に関する問題が生じる。従来から使用されているバラストコンポーネントは、例えば、現場クレーンによって運ばれる金属塊の形態である。この作業によって長期間にわたってクレーンが利用できなくなり、残りの工事の進行を妨げるが、これは工事費およびそれに対応する遅延に明白な影響を与える。
【発明の概要】
【発明が解決しようとする課題】
【００１３】
本発明の目的は、高所でのバラストウエイトの製造に関して、現場の吊り上げ手段とは無関係に、バラストをいかなる高さにでも移送することを可能にする技術的解決策を提案することである。
【課題を解決するための手段】
【００１４】
この目的のために、本発明は、構造体の振動を減衰させるためのバラストウエイトを製造するための方法に関し、バラストウエイトはバラストケーブルの少なくとも一部を含むバラストコンポーネントから形成され、当該方法は、
・バラストケーブルを移送デバイスに接続すること、
・移送デバイスを用いて、バラストケーブルの連続部分を低点から高点まで移動させること、
・高点まで移送されたバラストケーブルの連続部分の少なくとも一部からバラストウエイトを形成することを具備する。
【００１５】
本発明の一態様によれば、上記方法は、バラストケーブルから、互いに別体のバラストセグメントを形成するように、高点まで運ばれた少なくとも一つの部分においてバラストケーブルを分割することをさらに含む。
【００１６】
本発明の一態様によれば、バラストウエイトはバラストケーブルの一部分から得られたバラストセグメントから形成される。
【００１７】
本発明の一態様によれば、バラストセグメントはハウジング内に配置され、このハウジングからバラストウエイトが形成される。
【００１８】
本発明の一態様によれば、連続部分の少なくとも一部について、当該連続部分から新たに形成された各バラストセグメントはコンテナ内に配置される。
【００１９】
本発明の一態様によれば、コンテナは少なくとも一つの軸線に沿って移動可能であり、かつ、内側では、受け入れ開口を有する受け入れキャビティを画定し、上記連続部分の少なくとも一部に関して、
・高点まで移送された各部分は、コンテナ内に配置されるバラストセグメントを形成するためにケーブルの残りの部分から分割される前に、移送デバイスによってコンテナの受け入れ開口を通して引き込まれ、
・コンテナは、所定数のバラストセグメントがコンテナ内に収容されるまで常時移動させられる。
【００２０】
本発明の一態様によれば、コンテナは窓を有し、上記方法は、セグメントの束を形成するために、この窓を通して引き込まれるストラップを用いて、コンテナ内に受け入れられたバラストセグメントを互いに締め付けることをさらに含む。
【００２１】
本発明の一態様によれば、連続部分の少なくとも一部について、
・当該連続部分の先端部分は、いったんそれが高点まで移送されると巻き取りデバイスに接続され、
・高点へと移送される連続部分から少なくとも一つのリールを巻き取りデバイスを介して形成するために新しい部分が高点に達する間、巻き取りデバイスが作動させられる。
【００２２】
本発明の一態様によれば、巻き取りデバイスは、バラストケーブルの一部を案内すると共にバラストケーブルの張力を制御するよう構成されたガイドローラーと、その上にバラストケーブルの一部が巻かれる巻き取り機械とを備える。
【００２３】
本発明の一態様によれば、バラストケーブルは最初に低点の近傍に位置する第１のケーブル部分を含み、この方法はさらに、
・低点の近傍で第２のケーブル部分を得ること、
・第１のケーブル部分の端部を第２のケーブル部分の端部に接合することを含む。
【００２４】
本発明の一態様によれば、ケーブルは、低点と高点との間の経路の少なくとも一部にわたって延びるダクト内で、移送デバイスによって移動させられる。
【００２５】
本発明の一態様によれば、バラストウエイトを形成することは、バラストウエイト内の、そしてその中に連続部分が配置される容積の少なくとも一部をバラスト物質で満たすことを含む。
【００２６】
本発明はさらに、構造体の振動を減衰させるためのバラストウエイトを製造するためのアセンブリに関し、バラストウエイトは、バラストケーブルの少なくとも一部を含むバラストコンポーネントから形成され、アセンブリは構造体に対して固定され、バラストケーブルに接続されると共にバラストケーブルの連続部分を構造体の低点から構造体の高点へと移動させるよう構成された移送デバイスを備える。
【００２７】
本発明の一態様によれば、移送デバイスは、高点の近傍に配置されると共にバラストケーブルの連続部分を高点まで移送するためにバラストケーブルを引っ張るよう構成された引っ張り装置を備える。
【００２８】
本発明の一態様によれば、アセンブリはさらに、バラストケーブルから、互いに別体のバラストセグメントを形成するように高点まで運ばれた少なくとも一つの部分においてバラストケーブルを分割するよう構成された分割デバイスを備える。
【００２９】
本発明は、単に例示として与えられ、添付の図面を参照してなされる以下の詳細な説明を読むことで、よりよく理解されるであろう。
【図面の簡単な説明】
【００３０】
【図１】本発明によるアセンブリが接続される構造体を示す図である。
【図２ａ】本発明の第１変形例によるアセンブリを示す図である。
【図２ｂ】本発明の第１変形例によるアセンブリを示す図である。
【図３ａ】本発明の第２変形例によるアセンブリを示す図である。
【図３ｂ】本発明の第２変形例によるアセンブリを示す図である。
【図３ｃ】本発明の第２変形例によるアセンブリを示す図である。
【図４】本発明による方法を示すブロック図である。
【発明を実施するための形態】
【００３１】
図１は、本発明によるアセンブリ４が接続される構造体２を示している。
【００３２】
構造体２は、例えば高層タワーのような工学建造物、特に土木工学建造物である。構造体２の高さは、例えば、１００ｍ、２００ｍまたは３００ｍ、さらには５００ｍを超える。例えば、構造体２は約１０００ｍの高さを有する。
【００３３】
構造体２は、図１に概略的に示される少なくとも一つのダンパー６を備えることが意図されている。ダンパー６は、バラストコンポーネント１０から実現されるバラストウエイト８を含むことが意図されている。
【００３４】
ダンパー６は、例えば振り子ダンパーである。ダンパーは、例えば、協定重量振り子ダンパーであり、すなわち、そのバラストウエイト８は、構造体２の振動周波数に対応するために、制御された振動周波数を有する。
【００３５】
バラストウエイト８は、例えば、一つ以上のハンガーによってダンパー内に吊り下げられ、例えばダンパーピストンなどのエネルギー散逸デバイスによってダンパーのフレームに接続される。
【００３６】
これに対する代替策として、バラストウエイト８は、ウエイト８の振動周波数と構造体２の周波数との比を制御するためにスプリングによってダンパーのフレームに接続されたローリングキャリッジ上に配置され、そしてやはりエネルギー散逸装置によってフレームに接続される。
【００３７】
バラストウエイトは、特に、それが認識可能であるように意図されているか否かという事実に関して規定される、いかなる形態でもとることができることに留意されたい。
【００３８】
有利な様式では、バラストウエイトは１００トンを超える重量を有する。例えば、当該重量は３００トンを超え、有利な様式では５００トンを超える。
【００３９】
本発明の範囲内で、バラストウエイト８を形成するために使用されるバラストコンポーネント１０は、バラストケーブル１２の少なくとも一部からなる。
【００４０】
バラストケーブル１２は、例えば、軟鉄またはスチールのような金属から実現される。
【００４１】
その断面はいかなる形状でもよい。例えば、それは長方形あるいは円形である。
【００４２】
その断面は、３ｍｍ以上で１０ｍｍ以下の範囲の直径（または特性寸法）を有する。有利な様式では、当該直径は例えば６ｍｍである。
【００４３】
その線密度は、例えば、０．０５ｋｇ／ｍ以上で、０．７５ｋｇ／ｍ以下である。
【００４４】
その機械的強度は、ケーブルが、劣化することなく、後述する高点Ｈと低点Ｂとの間の距離の３０％を超える、有利なことには当該距離の７５％を超える、さらに有利なことには当該距離の１００％以上のケーブル長に相当する重量を引き揚げることを可能とするのに十分なものである。
【００４５】
さらに、それは、それを塑性的に変形させる可能性がある、いかなる応力も伴わずに、アセンブリ４によって課されるレイアウトに適応するために十分に変形可能である。
【００４６】
特定の例では、ケーブルは、例えば、密度が約７８５０ｋｇ／ｍ３、弾性限界が５００ＭＰａ、弾性率が２００ＧＰａ、そして直径が約６ｍｍのスチールケーブルである。
【００４７】
バラストケーブル１２は、このバラストケーブル１２の両端間に延びる一連の連続したバラストケーブル部分１２Ｐを含む。換言すれば、バラストケーブル１２は、ケーブルの長さを形成する複数の連続したケーブル部分と見なすことができる（見やすくするために、部分１２Ｐはケーブルの一部に関してのみ示されている）。以下でより詳細に説明するように、ケーブルは、有利なことには、当該部分において分割されて、互いに別体であってかつバラストウエイトを製造するために使用されるバラストセグメント１２Ｔを形成するように意図されている。以下でより明らかとなるように、異なる長さのセグメントが実現可能である。
【００４８】
任意選択として、バラストケーブル１２は、少なくとも断続的に、互いに接合された二つのケーブル部分１２１，１２２を含む。各ケーブル部分自体は、対応するケーブル部分の長さを形成する連続部分１２Ｐを含む。
【００４９】
アセンブリ４は、次々に高点Ｈまで移送される部分１２Ｐからバラストウエイト８を形成するために、バラストケーブルの連続部分１２Ｐを低点Ｂから高点Ｈまで移送するよう構成されている。
【００５０】
点Ｂは、例えば構造体２の足元に配置される。点Ｈは、例えば構造体の頂部付近に配置される。点Ｂと点Ｈとの間の高さの差ｈは、例えば、数十メートルを超える。例えば、この高さは１００ｍ、２００ｍまたは５００ｍを超える。
【００５１】
アセンブリ４は、移送デバイス１４と、上昇経路１６と、分割デバイス１８とを含む。
【００５２】
移送デバイス１４は、ケーブル１２の連続部分を点Ｂから高点Ｈへ移動させるのに適している。
【００５３】
例えば、バラストケーブル１２にメートル毎秒のオーダーの走行速度を与えることが適切である。例えば、この速度は１ｍ／ｓ以上であり、有利なことには２ｍ／ｓ以上である。
【００５４】
移送デバイス１４は、有利なことには、部分１２Ｐの移送のためのケーブルを引っ張るように構成された引っ張り装置２０を備える。それは、有利なことには、高点Ｈに位置しており、したがって部分１２Ｐがケーブルへの牽引力によって移送されることを可能にする。
【００５５】
引っ張り装置２０は、ケーブル１２に接続されると共にケーブル部分を低点Ｂから高点Ｈに向かって上昇させるための力をケーブルに加えるように意図された複数の駆動ローラー２２を有する。
【００５６】
引っ張り装置２０は、例えば引っ張り機械の形態である。
【００５７】
有利な様式では、移送デバイス１４は、上昇経路１６に沿って配置されると共にやはりケーブルを高点Ｈの方向に移動させるように構成された一つ以上のリレーステーション１４Ｒをさらに備える。
【００５８】
上記リレーステーションは、例えば、引っ張り装置２０と同様の構成を有し、したがってケーブルに接続されるように設けられた複数の駆動ローラーを有する。上記リレーステーション１４Ｒの存在は、引っ張り装置２０によって必要とされる機械的動力を減少させ、ケーブルの牽引力を制限することを可能にする。
【００５９】
有利な様式では、リレーステーションは、引っ張り装置が力を加えない場合にはリレーステーションがケーブルに力を加えないように引っ張り装置と同期させられ、逆もまた同様である。さらに、それらは、移送デバイスの異なる要素内のケーブルの走行速度が実質的に同一になるように同期させられる。
【００６０】
移送デバイス１４は、ケーブルの移動を特定の場所で案内し、これによってケーブルが直面する変形を制限するために、ケーブル１２の経路に沿って配置された偏向要素（図示せず）を備えることができる。例えば、このような要素は、ケーブルの曲率を制限するために、例えば、点Ｈの周囲領域においてケーブルによって形成されるエルボに配置される。
【００６１】
上昇経路１６は、低点Ｂと高点Ｈとの間の移動の少なくとも一部にわたってケーブルの一部が移動する間、ケーブルが通る経路を画定する。
【００６２】
有利な様式では、上昇経路１６は、ケーブルが移送デバイスによって移動させられているときにケーブルを受け取り、案内するためのダクト２４を備える。ダクト２４は、特に、ケーブル２の横方向の動きを封じ込めるために設けられる。
【００６３】
ダクトは、低点と高点との間の移動距離の少なくとも一部にわたって延在する。ダクト２４はケーブル１２の直径を超える直径を有する。
【００６４】
有利な様式では、ダクト２４は、その長さの少なくとも一部にわたってパイプ２６によって内側に画定される。
【００６５】
パイプ２６は構造体２に対して固定されている。それは、例えば、構造体２に対して固定される。
【００６６】
パイプ２６は、低点Ｂと高点Ｈとの間の移動距離の少なくとも一部にわたって延在する。
【００６７】
有利な様式では、パイプ２６は実質的に真っ直ぐであり、これはその長さの少なくとも一部にわたってそうである。有利な様式では、それは、その高さの少なくとも一部にわたって実質的に垂直にさらに延びる。
【００６８】
パイプはその高さに沿って連続していることに留意されたい。これに対する代替例として、図１に示されるように、その高さの少なくとも一部にわたって、それは不連続である。
【００６９】
さらに選択肢として、パイプ２６は、例えば、外側からダクト２４へのアクセスを許可するために、その壁に窓を有する。
【００７０】
選択肢として、その長さの少なくとも一部にわたって、パイプはガイドリングによって形成されることに留意されたい。言い換えれば、対応する部分の上昇経路は、連続的な壁ではなく、ケーブルの経路に沿って互いに離間したリングによって画定される。
【００７１】
図１の例では、パイプは実質的に低点Ｂの近傍から実質的に高点Ｈまで延びる。さらに、それは不連続であり、その壁に（リレーステーション１４Ｒの下方で）開口を有する。
【００７２】
分割デバイス１８は、バラストセグメント１２Ｔを形成するために高点Ｈに運ばれる部分１２Ｐにおいてバラストケーブル１２を分割するよう構成される。
【００７３】
有利な様式では、分割デバイス１８はバラストケーブル１２を切断することによって、これを行うように構成される。
【００７４】
分割デバイス１８は、例えば、ギロチン剪断機または回転剪断機などの剪断機器２８を備える。
【００７５】
分割デバイス１８は、有利なことには、点Ｈでかつ（連続部分の移動方向に関して）引っ張り装置２０の下流側に配置され、連続部分１２Ｐは引っ張り装置２０を通過した後に分割デバイス１８内に引き込まれる。
【００７６】
分割デバイス１８は制御可能である。特に、それは、分割デバイス１８内への部分１２Ｐの通過が部分１２Ｐが切断されることを必ずしも意味しないように制御可能である。
【００７７】
実際には、後述するように、選択された長さのセグメント１２Ｔを得るために、それは制御可能である。分割デバイス１８の制御は、例えば、移送デバイスの動作パラメータ、特に移送デバイスがケーブルに与える走行速度の関数として実現される。
【００７８】
分割およびセグメント１２Ｔの取り扱いに関するアセンブリ４の機能に関するアセンブリ４のいくつかの実施形態が可能である。
【００７９】
図１に示す第１実施形態では、分割デバイス１８は、上述した要素と共に、ケーブルの残りの部分からたった今分離させられて分割デバイス１８から出てきたセグメント１２Ｔが、アセンブリ４のコンテナ３２と結合されるように意図された落とし口の下部に向かって移送されるように配置された落とし口３０を備える。当該コンテナは、例えば、金属薄板から実現される。
【００８０】
言い換えれば、上記実施形態では、分割デバイス１８は、セグメント１２Ｔが分割デバイス１８と結合されているコンテナ３２内に自動的に排出されるように構成される。
【００８１】
落とし口３０の存在は任意であり、それを経てセグメントが分割デバイス１８から出てくる分割デバイスの出口の下にコンテナを配置することが可能であることに留意されたい。
【００８２】
図２ａおよび図２ｂに示す第２実施形態では、アセンブリ４は、上述した要素と共に、上昇経路に沿ったその上昇中に変形する可能性のある、そこまで移送される部分１２Ｐを真っ直ぐにするように構成された矯正デバイス３４を備える。実際には、矯正デバイス３４は直線部分１２Ｐを供給するよう構成される。
【００８３】
矯正デバイス３４は、有利なことには、引っ張り装置２０の下流でかつ分割デバイス１８の上流に配置される。これにより、それ自体真っ直ぐなセグメント１２Ｔを得ることができる。
【００８４】
上述したように、コンテナ３２は、セグメント１２Ｔを受けるために分割デバイスの出口に配置される。上記実施形態では、コンテナ３２は、部分１２Ｐを内部キャビティに挿入するのに適した受け取り開口によって開口された内部キャビティを画定する。コンテナ３２は、これに加えて、セグメントの束を形成するためにコンテナ３２によって受け取られることが意図されているセグメントを互いに締め付けるのに適したストラップ３８（図２ｂ）を受け取るための少なくとも一つの窓３６を有する。
【００８５】
アセンブリ４は、これに加えて、コンテナ３２を受け取りかつコンテナ３２を移動させるのに適した移動誘発デバイス４０を備える。それは、特に、上記コンテナの開口が分割デバイスの方に向くようにコンテナ３２を受け取るのに適している。
【００８６】
有利な様式では、デバイス３６は、それが受け取るコンテナ３２を少なくとも一つの軸線に沿って動かすのに適している。より具体的には、有利な様式では、コンテナを受け取るための開口が分割デバイス１８に対して垂直方向および横方向に移動することができるように、（図２ａに（ｘ，ｙ）表示された）少なくとも一つの平面に沿ってコンテナを移動させることが好適である。
【００８７】
有利な様式では、デバイス３６はまた、特にコンテナの開口を分割デバイス１８から解放することができ、これによってそれが受け入れるセグメント１２Ｔを取り出すことができるように、上記平面に対して直交するようにコンテナを移動させるのにも適している。
【００８８】
さらに、有利な様式では、分割デバイス１８の出口とコンテナの受け入れ開口との間の間隔は、コンテナ内に配置されたセグメント１２Ｔの端部がコンテナの受け入れ開口から選択された距離にあるように選択される。例えば、当該間隔は約数センチメートルとして選択される。
【００８９】
有利な様式では、コンテナ３２はデバイス３６に固定されることに留意されたい。
【００９０】
有利な構成では、デバイス３６は、コンテナ３２が水平に対してある角度をなすように配置される。例えば、その開口はその底よりも高い位置に配置される。
【００９１】
デバイス３６は、コンテナがその長手方向軸線に関して回動させられるように、代替的にまたは平行に配置される。例えば、コンテナ３２は、したがって、そのエッジの一つが底を向くように配置される。
【００９２】
上記構成のいずれにおいても、コンテナはｘ軸に沿ってのみ移動可能であってもよい。
【００９３】
図３ａ、図３ｂおよび図３ｃに示す第３実施形態では、デバイスは、上述した要素と共に、高点Ｈまで運ばれたケーブル１２の部分１２Ｐから少なくとも一つのリール４２を形成するのに適した巻き取りデバイス４０を備える。
【００９４】
巻き取りデバイス４０は、例えば、分割デバイス１８の下流側で高点Ｈに配置される。
【００９５】
巻き取りデバイス４０は、巻き取り機械４４とガイドローラー４６とを備える。
【００９６】
巻き取り機械４４は、リール４２を形成するようにケーブル部分１２を巻くのに適している。このために、巻き取り機械は、例えば、巻き取り機械４４の駆動デバイス４８の作用によって、軸線に沿って自然に回動するよう構成される。
【００９７】
有利な様式では、巻き取りデバイスもまた、その回転軸線に沿って並進移動可能である。
【００９８】
ガイドローラー４６は、ケーブル１２と結合されるように設けられており、それを通過する部分１２Ｐを巻き取り機械４４に向かって案内するのに適している。さらに、有利な様式では、それらは、ケーブルが巻き取り機械に巻かれるとき、特に巻き取り機械がその回転軸線に沿って移動させられるとき、ケーブル１２の張力を制御するように構成される。
【００９９】
図３ｂおよび図３ｃに示すように、形成されたリールまたはリール群４２はさまざまな形態を有することができる。特に、リールは、真っ直ぐな円筒形状を、あるいは円錐台形状または円錐形状さえ有することができる。
【０１００】
バラストウエイトを製造するための本発明による方法を、図面、特に図４を参照して説明する。
【０１０１】
一般的な様式では、本発明による方法は以下のステップを含む。
・ケーブル１２を移送デバイス１４に接続すること
・ケーブル１２の連続部分１２Ｐを高点まで移送するために移送デバイス１４を介してケーブルの移動を誘発すること
・このようにして高点Ｈまで移送された部分１２Ｐの全部または一部からバラストウエイトを形成すること
【０１０２】
以下でより詳細に説明するように、部分１２Ｐからバラストウエイトを形成することは、部分１２Ｐから形成されたセグメント１２Ｔの全部または一部からバラストウエイトを形成することを含む。
【０１０３】
ここで、「〜から形成」という語句は、バラストウエイトが少なくとも当の要素を含みかつ他の物体を含むことができると理解すべきである。
【０１０４】
上記形成することはハウジング５０内にセグメントを配置することを含むことができ、このハウジングからバラストウエイトが形成される。このハウジング５０は、例えば、図１の減衰デバイスのフレームから吊り下げられたハウジングに対応する。当該ハウジングは、いかなる形態であってもよい。それは、例えば、特定の具現化においては、平行六面体である。
【０１０５】
この方法の枠内で、最初に、ケーブル１２は全体的にまたは部分的に低点に配置される。それは、例えば、点Ｂへと運ばれるディスペンサー内に配置される。ディスペンサーは、例えば、上昇経路と整列して配置される。
【０１０６】
最初に、ケーブルの第１の部分１２１のみが低点Ｂに位置することができることに留意されたい。
【０１０７】
段階Ｓ１の間、ケーブルは移送デバイス１４に接続される。
【０１０８】
有利な様式では、これを行うために、ケーブル１２の端部が引っ張り装置２０内に引き込まれる。
【０１０９】
例えば、この目的のために、ケーブル１２の端部は、ウインチケーブルのような低点Ｂの近くの牽引手段に固定される。ウインチは、例えば、高点Ｈに配置される。
【０１１０】
牽引手段によって、ケーブルの端部は引っ張り装置２０内に引き込まれるように高点まで引き上げられる。
【０１１１】
さらに、リレーステーション１４Ｒを有するアセンブリ構成では、ケーブルはリレーステーション１４Ｒに引き込まれる。この引き込みは、例えば、ケーブルの端部が関連するリレーステーションに到着し、続いて、例えばリレーステーション１４Ｒのパイプに設けられた窓を介して案内されるときに実現される。これに対する代替策として、当該引き込みは、ケーブルの端部が引っ張り装置２０に移送されると実現される。
【０１１２】
次の段階Ｓ２の間、移送デバイス１４は、部分１２Ｐを高点Ｈの方向に移動させるために作動させられる。
【０１１３】
ケーブルはこのようにして高点の方向に引っ張られ、その効果は、それが高点Ｈに到達するまでケーブルの連続部分１２Ｐを高点の方向に移動させることである。したがって、先に述べたように、引っ張りデバイス２０およびリレーステーション１４Ｒ（もし存在するならば）は同期させられる。
【０１１４】
部分１２Ｐが高点Ｈまで移送された後の部分１２Ｐの処理の詳細は、考慮される実施形態に関して異なる。
【０１１５】
図１の実施形態の枠組み内で、高点Ｈまで運ばれた部分１２Ｐは、引っ張り装置２０を出た後に、次々に分割デバイス１８に入る。
【０１１６】
したがって、分割デバイス１８は、選択された長さのセグメント１２Ｔを形成するように、移送された部分においてケーブルを分割する。
【０１１７】
有利な様式では、上記長さはケーブルの直径を超えるように選択される。有利な様式では、それはケーブルの直径の２倍以上になるように選択される。
【０１１８】
例えば、それはケーブルの直径の実質的に２倍に等しいと考えられる。
【０１１９】
セグメントは、分割デバイス１８を出ると、選択的にディスペンサー３０を介して、コンテナ３２内に排出される。
【０１２０】
いったんコンテナ３２が所望の量のセグメント１２Ｔを含むと、そしてバラスト要件が高点Ｈで満たされないとすると、コンテナ３２は、例えばハウジング５０内に排出され、このハウジングから、結果として、バラストウエイトが形成される。一選択肢として、当該動作は引っ張りデバイス１４を中断させる。
【０１２１】
図２ａおよび図２ｂの実施形態の枠組み内では、コンテナ３２は最初に移動誘発デバイス４０上に配置される。一選択肢として、少なくとも一つのストラップ３８がコンテナ３２の窓内に予め位置決めされる。
【０１２２】
高点Ｈに移送された部分１２Ｐは、引っ張り装置２０を出るときに矯正デバイス３４内へと次々に進入する。次に、それらは分割デバイス１８内に入り、受け入れ開口を経て、移動誘発デバイス上に配置されたコンテナ３２内に引き込まれる。コンテナ内に引き込まれた部分１２Ｐが所定の長さになると、分割デバイス１８が作動してケーブル１２を分割し、その後にコンテナ３２内に配置される対応する長さのセグメント１２Ｔを形成する。
【０１２３】
次いで、コンテナ３２は、選択肢として、コンテナ内の所望の位置において、分割装置１８が作動させられるとセグメントを形成する後続部分１２Ｐを受け取るための移動誘発デバイスを介して移動させられる。特に、有利な様式では、それはコンテナ内に収容されたセグメントが互いに平行になるように移動させられる。
【０１２４】
コンテナの移動は、コンテナ内のセグメント１２Ｔの、厳密には１を超える所定数の形成に応じて実施することができることに留意されたい。しかしながら、有利な様式では、この移動は新しいセグメントごとに行われる。
【０１２５】
コンテナが所定数のセグメント１２Ｔを含むと、ストラップあるいはストラップ群３８が所定の位置に配置され、コンテナ３２内にセグメント１２Ｔの束を形成するために締め付けられる。次いで、形成された束がコンテナ３２から取り出される。
【０１２６】
上記作業のために、コンテナは有利なことにはデバイス１８から離間させられることに留意されたい。さらに、選択肢として、移送デバイスは対応する期間の間、断続的に不作動状態とされる。いったん束が取り除かれると、コンテナは、その中に新しい部分１２Ｐを受け入れ、そして新しい束を形成するために適所において交換される。
【０１２７】
図３の実施形態の枠組み内では、高点Ｈまで運ばれた部分１２Ｐは、分割デバイス１８内へと、次いで巻き取りデバイス４０内へと順次進行する。特に、それはガイドローラー４６へと進み、巻き取り機械４４に巻き取られる。この巻き取り機械４４は、リールを選択された形で形成すると共に連続したケーブル長を有するように、ケーブル１２を巻き取り機械に巻き付けるためのその軸線に沿って移動させられる。
【０１２８】
いったんリールが形成されると、分割デバイス１８は、巻き取り機械によって巻かれたケーブル長をケーブルの残りの部分から分離するように、したがってリールを形成するケーブル長に対応する、本発明の趣旨の範囲内でのセグメント１２Ｔを形成するように作動させられる。
【０１２９】
分割デバイスによって新たに形成された（かつケーブル１２の自由端部に対応し、その部分１２Ｐは上昇経路１６上に配置される）ケーブル１２の端部は、例えば、巻き取り機械および新しいリールを形成するためのガイドローラーに接続される。
【０１３０】
段階Ｓ３の間、移送デバイスの影響下で上昇経路を上昇する過程にあるケーブル部分１２１は、第２のケーブル部分１２２に接合される。
【０１３１】
当該ケーブル部分は、例えば、低点Ｂで供給されるディスペンサー内に配置される。この供給は、例えば、第１のケーブル部分１２１が引っ張られ始めた後に、またはこれに代えて、低点Ｂへの部分１２１の供給と平行して行われる。
【０１３２】
接合に関して、低点に位置するケーブルの部分１２１の端部は、第２のケーブル部分１２２の端部に接合される。例えば、この接合は、例えばコンデンサ放電溶接などの溶接によって実現される。
【０１３３】
有利な様式では、この接合は、その上に第１の部分１２１が最初に配置されるディスペンサーから、実質的にまたは完全にケーブル１２が取り出されたときに実施される。
【０１３４】
例えば、この目的のために、アセンブリは、ケーブルと接触するのに適しておりかつ低点の近くに配置されるセンサー（図示せず）を備える。センサーは、ケーブルとの接触がないことに応答して、移送デバイスの停止を引き起こすように構成される。実際には、センサーはディスペンサーが空であることを特定することを可能とし、これがケーブル１２の移動の停止を引き起こし、それを第２の部分１２２に接合することが可能となる。
【０１３５】
この段階は必ずしも段階Ｓ２の後に置かれるとは限らないことに留意されたい。さらに、新しいケーブルを引っ張り装置に接続する初期段階を繰り返す必要なしに、所望の量のバラストコンポーネントの移送を許可するように、ケーブル１２を新しいケーブル部分で長くするために、それを調子を合わせて繰り返すことができる。
【０１３６】
段階Ｓ４の間、バラストウエイト８は高点まで運ばれた部分１２Ｐから形成される。より具体的には、それはセグメント１２Ｔから形成される。
【０１３７】
上述したように、バラストウエイトは、例えばハウジングの形をしており、その中にセグメント１２Ｔが配置される。
【０１３８】
上記段階の間、ハウジングは閉じられてダンパー内に配置され、そこで、それはバラストウエイト８を形成する。一選択肢として、それはまた、ダンパー内に配置される前に気密封止される。
【０１３９】
セグメントの存在と並行して、バラストウエイトは、選択肢として、ハウジング内の空の、すなわちセグメント１２Ｔによって占有されていない容積の少なくとも一部を満たすための（セグメント１２Ｔ以外のバラストコンポーネントを形成する）バラスト材料を含むことに留意されたい。当該バラスト材料は、例えば、セグメント１２Ｔと接触する。
【０１４０】
上記バラスト物質は、有利なことには、少なくとも最初は流動的である。例えば、上記物質はセメントスラリーを含む。
【０１４１】
一選択肢として、バラスト物質は、バライト粉末のような高密度粉末を含む。
【０１４２】
例えばバラスト物質は、セグメントがそこに設置されると、ハウジング内に例えば射出によって配置される。
【０１４３】
実際には、バラストウエイトを形成するための上記段階の正確な進行は、考えられる実施形態に依存する。
【０１４４】
第１実施形態の枠組み内では、形成されたセグメント１２Ｔは、いったんコンテナが充填されると、コンテナ３２からバラストウエイトのハウジング５０内に排出される。
【０１４５】
いったんハウジングが所望の量のセグメントを含むと、それは、有利なことには、
・シールすることによって、
・バラスト材でボイドを満たすことによって、
・ハウジングを閉鎖することによって、
完成となる。
【０１４６】
さらに、選択肢として、上記完成は、セグメント１２Ｔがそこに占める体積を最小にしかつバラスト物質に利用可能な容積を増やすようにハウジング内でセグメント１２Ｔを再配置することを含む。
【０１４７】
上記配置は、例えば、セグメントをハウジング内で互いに平行にかつ互いに接触して配置することを含む。
【０１４８】
第２実施形態の枠組み内では、バラストウエイトはセグメント１２Ｔの束から形成される。いったんコンテナ３２から取り出されると、それらはハウジング内に配置され、バラストウエイトを形成するように意図される。ハウジングは、選択された様式で囲まれかつ配置された一つ以上のセグメントの束１２Ｔを含む。例えば、束は、そこで並置されかつ／または重ね合わされる。
【０１４９】
ハウジングはその後完成させられるが、これはそのクロージャーおよび任意選択でそのシーリングを含む。
【０１５０】
上述したように、上記完成は、任意選択で、バラスト物質の付加を含む。
【０１５１】
図３の実施形態の枠組み内では、いったん形成されると、一つ以上のリールが、ダンパー内でバラストウエイトを形成するように意図されているハウジング内に配置される。
【０１５２】
リールの相対配置は選択できる。この選択は、例えば、コンテナの容積に含まれるリールの数を最大にするようになされる。例えば、円錐形リールの場合、所与のリールは、有利なことには、少なくとも一つの隣接リールに対して逆の位置、すなわち逆さまに配置される。
【０１５３】
これに代わるものとして、またはこれと平行して、リールの配置に、選択された形態、例えばピラミッド形態またはその他の形態を付与するように選択がなされる。
【０１５４】
それが選択された数のリールを収容すると、ハウジングは上述したように完成となる。
【０１５５】
異なる図の実施形態を互いに組み合わせることができることに留意されたい。例えば、所与の構成では、アセンブリ４は各実施形態に特有の装置を含み、上方に運ばれる部分は選択的に分割されてコンテナ内に排出され、図２ａおよび図２ｂの原理に従ってコンテナ内に配置されるか、むしろ、図３ａないし図３ｃの原理に従ってリール上に配置される。
【０１５６】
特に、対応する動作モードを次々に実施することができる。
【０１５７】
実際には、対応するデバイスに向かって高点Ｈでケーブルを分路することは、例えば人手で実現される。
【０１５８】
さらに、バラストウエイトは、図１のもの、図２ａのものおよび図３ｃのもののうちの少なくとも二つの実施形態から得られたセグメントから形成することができる。
【０１５９】
特定の構成では、特に図１の実施形態の枠組み内で使用されるコンテナ３２を、バラストウエイトを形成するハウジング内に直接設置するように選択することができる。
【０１６０】
したがって、例えば、図１のコンテナ３２は、それが満たされるとハウジング内に設置され、新しいコンテナ３２が新たに形成されたセグメントを受け入れるための位置に配置される。
【０１６１】
本発明は多数の利点を有する。実際には、それは、他の作業のために必要なクレーンまたはその他の装置を長期間動員しない方法によって、バラストウエイトを高所で実現することを可能にする。
【０１６２】
さらに、関連するアセンブリ４は簡素であり、比較的安価である。
【０１６３】
同様に、この方法は、移送可能な重量に関しても、最高高さに関しても限界がない。
【０１６４】
最後に、それは、限られた時間内および／または隠れた時間内に、すなわち構造体の建設計画の「クリティカルパス」の外側で、大きなバラストウエイトの移送を可能にする。
【符号の説明】
【０１６５】
２  構造体
４  アセンブリ
６  ダンパー
８  バラストウエイト
１０  バラストコンポーネント
１２  バラストケーブル
１２１  第１のケーブル部分
１２２  第２のケーブル部分
１２Ｐ  連続部分
１２Ｔ  バラストセグメント
１４  移送デバイス
１４Ｒ  リレーステーション
１６  上昇経路
１８  分割デバイス
２０  引っ張り装置
２２  駆動ローラー
２４  ダクト
２６  パイプ
２８  剪断機器
３０  落とし口
３２  コンテナ
３４  矯正デバイス
３６  デバイス
３８  ストラップ
４０  移動誘発デバイス
４２  リール
４４  巻き取り機械
４６  ガイドローラー
４８  駆動デバイス
５０  ハウジング
【図１】
2019528388.tif 000003
【図２ａ】
2019528388.tif 000004
【図２ｂ】
2019528388.tif 000005
【図３ａ】
2019528388.tif 000006
【図３ｂ】
2019528388.tif 000007
【図３ｃ】
2019528388.tif 000008
【図４】
2019528388.tif 000009
【国際調査報告】
2019528388.tif 000010
2019528388.tif 000011
2019528388.tif 000012
2019528388.tif 000013